(57)【特許請求の範囲】
【請求項１】
レーザ構造であって、
基板と、
前記基板上のエピタキシャル構造であって、前記エピタキシャル構造は、光を発生するための活性領域を含む、エピタキシャル構造と、
前記エピタキシャル構造中に形成される第１の方向に延在する導波路であって、端面発光レーザを画定する前面エッチングファセットおよび後面エッチングファセットを有する、導波路と、
前記エピタキシャル構造中に形成される第１の陥凹領域であって、第１の末端壁を含み、後面エッチングファセットに隣接した開口部を有し、前記第１の末端壁は、第１の隣接レーザチップへの後面反射を最小限にするように、及び、前記基板からの第１の隣接レーザチップのシンギュレーション前に、前記第１の隣接レーザチップの試験を容易にするように、前記第１の隣接レーザチップから離れて位置している、第１の陥凹領域と、
前記エピタキシャル構造中に形成される第２の陥凹領域であって、第２の末端壁を含み、前面エッチングファセットに隣接した開口部を有し、前記第２の末端壁は、第２の隣接レーザチップへの後面反射を最小限にするように、及び、前記基板からの第２の隣接レーザチップのシンギュレーション前に、前記第２の隣接レーザチップの試験を容易にするように、前記第２の隣接レーザチップから離れて位置している、第２の陥凹領域と、を備え、
前記第１の陥凹領域、前記第２の陥凹領域、前記前面エッチングファセット、及び前記後面エッチングファセットは、すべてが端面発光レーザを画定する前記エピタキシャル構造の共通の連続部分に形成されている、レーザ構造。
【請求項２】
前記第１の末端壁は、前記第１の方向に対して直角以外の角度にある、請求項１に記載のレーザ構造。
【請求項３】
前記後面エッチングファセットは、高反射性材料でコーティングされる、請求項１に記載のレーザ構造。
【請求項４】
前記第２の末端壁は、前記第１の方向に対して直角以外の角度にある、請求項１に記載のレーザ構造。
【請求項５】
前記第１の陥凹領域への前記開口部および前記第２の陥凹領域への前記開口部は、相互に整列されている、請求項１に記載のレーザ構造。
【請求項６】
前記端面発光レーザは、リッジレーザである、請求項１に記載のレーザ構造。
【請求項７】
前記リッジレーザは、ファブリペロー（ＦＰ）型のものである、請求項６に記載のレーザ構造。
【請求項８】
前記リッジレーザは、分布帰還（ＤＦＢ）型のものである、請求項６に記載のレーザ構造。
【請求項９】
前記端面発光レーザは、埋め込みヘテロ構造（ＢＨ）レーザである、請求項１に記載のレーザ構造。
【請求項１０】
前記ＢＨレーザは、ファブリペロー（ＦＰ）型のものである、請求項９に記載のレーザ構造。
【請求項１１】
前記ＢＨレーザは、分布帰還（ＤＦＢ）型のものである、請求項９に記載のレーザ構造。
【請求項１２】
前記基板は、ＩｎＰである、請求項１に記載のレーザ構造。
【請求項１３】
前記基板は、ＧａＡｓである、請求項１に記載のレーザ構造。
【請求項１４】
前記基板は、ＧａＮである、請求項１に記載のレーザ構造。
【請求項１５】
レーザ構造であって、
基板と、
前記基板上のエピタキシャル構造であって、前記エピタキシャル構造は、光を発生するための活性領域を含む、エピタキシャル構造と、
前記エピタキシャル構造の第１の部分に形成される第１の方向に延在する第１の導波路であって、第１の端面発光レーザを画定する第１の前面エッチングファセットおよび第１の後面エッチングファセットを有する、第１の導波路と、
前記エピタキシャル構造の第２の部分に形成される前記第１の方向に延在する第２の導波路であって、第２の端面発光レーザを画定する第２の前面エッチングファセットおよび第２の後面エッチングファセットを有する、第２の導波路と、
前記エピタキシャル構造の前記第１の部分に形成される陥凹領域であって、末端壁を含み、前記第２の導波路の前記第２の前面エッチングファセットに直接対向する開口部を有し、前記末端壁は、前記第２の導波路の前記第２の前面エッチングファセットへの後面反射を最小限にするように、及び、前記基板からの前記エピタキシャル構造の前記第２の部分のシンギュレーション前に、前記第２の導波路の試験を容易にするように、前記第２の導波路の前記第２の前面エッチングファセットから離れて位置している、陥凹領域と、を備え、
前記エピタキシャル構造の第１の部分は、前記陥凹領域と、前記第１の端面発光レーザを画定する第１の前面エッチングファセットおよび第１の後面エッチングファセットとを有する前記エピタキシャル構造の共通の連続部分である、レーザ構造。
【請求項１６】
前記第２の導波路の前記第２の前面エッチングファセットからの光が前記末端壁に衝突する、請求項１５に記載のレーザ構造。
【請求項１７】
前記末端壁は、前記第１の方向に対して直角以外の角度にある、請求項１６に記載のレーザ構造。
【請求項１８】
少なくとも前記第１の後面エッチングファセット又は前記第２の後面エッチングファセットは、高反射性材料でコーティングされる、請求項１５に記載のレーザ構造。
【請求項１９】
前記端面発光レーザは、リッジレーザである、請求項１５に記載のレーザ構造。
【発明の詳細な説明】
【技術分野】
【０００１】
〔関連出願の相互参照〕
本出願は、２０１１年１２月８日に出願された米国仮出願第６１／５６８，３８３号、２０１２年４月２日に出願された米国仮出願第６１／６１９，１９０号、および２０１２年１１月３０日に出願された米国非仮出願第１３／６９０，７９２号に対する優先権の利益を主張するものであり、それらの各々の内容全体は、参照により本明細書に組み込まれる。
【０００２】
本発明は、一般に、エッチングファセットフォトニックデバイスに関し、より具体的には、改善されたエッチングファセットフォトニックデバイスおよびそれらを製作するための方法に関する。
【背景技術】
【０００３】
半導体レーザは典型的に、金属有機化学蒸着法（ＭＯＣＶＤ）または分子線エピタキシー法（ＭＢＥ）を通じて、基板上に適切な層状半導体材料を成長させて、基板面に並行な活性層を有するエピタキシャル構造を形成することによって、ウェハ上に製作される。ウェハは次いで、多様な半導体処理ツールにより処理されて、活性層を組み込み、半導体材料に取り付けられる金属接触部を組み込む、レーザ光共振器を生産する。レーザ反射鏡ファセットは典型的に、半導体材料を、その結晶構造に沿って、レーザ光共振器の端面、または末端を画定するように劈開することによって、レーザ共振器の末端において形成され、その結果、バイアス電圧が接触部にわたって印加されるとき、結果として生じる活性層を通じる電流の流れにより、光子が、活性層のファセット端面から出て、電流の流れに対して垂直な方向に発光するようになる。半導体材料は、レーザファセットを形成するように劈開されるので、ファセットの場所および配向は限定され、更に、一旦、ウェハが劈開されると、それは典型的に小片となり、その結果、従来のリソグラフィー技法を容易に使用して、レーザを更に処理することができなくなる。
【０００４】
劈開されたファセットの使用から生じる前述のおよび他の難点は、エッチングを通じて半導体レーザの反射鏡ファセットを形成するためのプロセスの開発につながった。米国特許第４，８５１，３６８号に記載される、このプロセスはまた、レーザが、同じ基板上で他のフォトニックデバイスとモノリシックに集積化されることを可能にする。それはまた、劈開バー試験の代わりに、製造費を削減したウェハレベルの試験を可能にする。この作業は更に拡張され、エッチングファセットに基づくリッジレーザプロセスが、ＩＥＥＥ  Ｊｏｕｒｎａｌ  ｏｆ  Ｑｕａｎｔｕｍ  Ｅｌｅｃｔｒｏｎｉｃｓ，  ｖｏｌｕｍｅ  ２８，Ｎｏ．５，ｐａｇｅｓ  １２２７−１２３１，Ｍａｙ  １９９２に開示された。しかしながら、エッチングファセットを使用して製作されるＦＰおよびＤＦＢ端面発光レーザは、ウェハ上の試験結果を歪めるであろうレーザの前面ファセットから隣接レーザの後面ファセットへのレーザ出力の干渉のために、最密充填することができなかった。レーザを離間して、隣接レーザ間に無駄な空間を残すことが解決策となってきた。例えば、ＤＦＢレーザについて、この無駄な空間は、およそ１００μｍであり、それは所与のウェハから生産され得る有用なレーザチップの数を大幅に低減する。
【発明の概要】
【０００５】
一般に、一態様において、本発明は、隣接レーザ間の無駄な空間を最小にしながら製作可能である、端面発光レーザを特長とする。レーザの前面エッチングファセットは、第１のレーザの前面ファセットからの光が、第２の隣接レーザの後面ファセットからの干渉および後面反射を伴わずに出射し得るように、隣接レーザチップの後側上の陥凹領域に対面する。
【０００６】
本発明は、第１のエッチングファセットの端面発光半導体レーザを有するチップを含み得、そのチップは、陥凹領域を含有することにより、第１のレーザを含有するチップに隣接し、前面ファセットがチップに対面している、第２のエッチングファセットの端面発光半導体レーザが、第２のレーザの特性の試験中に歪みを回避しながら相互に最密に離間されることを可能にする。これは、ウェハから生産され得るチップの数の大幅な増加を可能にする。
【０００７】
他の実施形態は、次の特長のうちの１つ以上を含む。陥凹領域は、後面反射を最小限にするために傾斜した末端壁を有することができる。レーザの後面ファセットはまた、隣接レーザチップの前側上の陥凹領域に対面してもよく、その陥凹領域は、角度をつけられた末端壁を有してもよい。チップは、それらの長さに沿って完全な陥凹領域または完全な開口部を有してもよく、後面反射を最小限にするために相互からオフセットされてもよい。
【０００８】
１つの特定の実施形態において、レーザチップは、基板と、その基板上のエピタキシャル構造であって、そのエピタキシャル構造が活性領域を含み、その活性領域が光を発生する、エピタキシャル構造と、第１の方向に延在するエピタキシャル構造中に形成される導波路であって、端面発光レーザを画定する前面エッチングファセットおよび後面エッチングファセットを有する、導波路と、該エピタキシャル構造中に形成される第１の陥凹領域であって、導波路からある距離を置いて配設され、後面エッチングファセットに隣接した開口部を有し、レーザチップのシンギュレーション前に、隣接レーザチップの試験を容易にする、第１の陥凹領域とを含んでもよい。
【０００９】
この特定の実施形態の追加の態様によれば、第１の陥凹領域は、第１の末端壁を有する。
【００１０】
この特定の実施形態の追加の態様によれば、第１の末端壁は、第１の方向に対して直角以外の角度にある。
【００１１】
この特定の実施形態の追加の態様によれば、後面エッチングファセットは、高反射性材料でコーティングされる。
【００１２】
この特定の実施形態の追加の態様によれば、レーザチップは、前面エッチングファセットに隣接した開口部を有する、該エピタキシャル構造中に形成され、導波路から第２の距離を置いて配設される第２の陥凹領域を更に含んでもよく、その第２の陥凹領域は、第２の末端壁を含む。
【００１３】
この特定の実施形態の追加の態様によれば、第２の末端壁は、第１の方向に対して直角以外の角度にある。
【００１４】
この特定の実施形態の追加の態様によれば、第１の陥凹領域への開口部および第２の陥凹領域への開口部は、相互に整列される。
【００１５】
他の特定の実施形態において、端面発光レーザは、リッジレーザである。
【００１６】
この特定の実施形態の追加の態様によれば、リッジレーザは、ファブリペロー（ＦＰ）型のものである。
【００１７】
この特定の実施形態の追加の態様によれば、リッジレーザは、分布帰還（ＤＦＢ）型のものである。
【００１８】
この特定の実施形態の追加の態様によれば、端面発光レーザは、埋め込みヘテロ構造（ＢＨ）レーザである。
【００１９】
この特定の実施形態の追加の態様によれば、ＢＨレーザは、ファブリペロー（ＦＰ）型のものである。
【００２０】
この特定の実施形態の追加の態様によれば、ＢＨレーザは、分布帰還（ＤＦＢ）型のものである。
【００２１】
この特定の実施形態の追加の態様によれば、基板は、ＩｎＰである。
【００２２】
この特定の実施形態の追加の態様によれば、基板は、ＧａＡｓである。
【００２３】
この特定の実施形態の追加の態様によれば、基板は、ＧａＮである。
【００２４】
他の特定の実施形態において、レーザチップは、基板と、その基板上のエピタキシャル構造であって、そのエピタキシャル構造が活性領域を含み、その活性領域が光を発生する、エピタキシャル構造と、第１の方向に延在するエピタキシャル構造中に形成される第１の導波路であって、第１の端面発光レーザを画定する第１の前面エッチングファセットおよび第１の後面エッチングファセットを有する、第１の導波路と、第１の方向に延在するエピタキシャル構造中に形成される第２の導波路であって、第２の端面発光レーザを画定する第２の前面エッチングファセットおよび第２の後面エッチングファセットを有する、第２の導波路と、該エピタキシャル構造中に形成される陥凹領域であって、第１の後面エッチングファセットおよび第２の後面エッチングファセットのうちの１つに隣接した開口部を有し、レーザチップのシンギュレーション前に、隣接レーザチップの試験を容易にする、陥凹領域とを含んでもよい。
【００２５】
この特定の実施形態の追加の態様によれば、第１および第２の端面発光レーザのうちの少なくとも１つは、リッジ分布帰還（ＤＦＢ）レーザである。
【００２６】
この特定の実施形態の追加の態様によれば、第１および第２の端面発光レーザのうちの少なくとも１つは、埋め込みヘテロ構造（ＢＨ）分布帰還（ＤＦＢ）レーザである。
【００２７】
他の特定の実施形態において、レーザチップは、基板と、その基板上のエピタキシャル構造であって、そのエピタキシャル構造が活性領域を含み、その活性領域が光を発生する、エピタキシャル構造と、第１の方向に延在するエピタキシャル構造中に形成される導波路であって、端面発光レーザを画定する前面エッチングファセットおよび後面エッチングファセットを有する、導波路と、導波路に平行な方向にあり、かつそれからある距離を置いた、レーザチップのシンギュレーション前に、隣接レーザチップの試験を容易にする、エピタキシャル構造中の完全な開口部とを含んでもよい。
【００２８】
１つ以上の実施形態の詳細は、添付の図面および下の説明において述べられる。記載される実施形態の他の特長、対象物、および利点は、説明および図面から、ならびに特許請求の範囲から明らかとなるであろう。
【００２９】
前述のおよび追加の対象物、特長、および利点は、添付の図面と併せた、それらの好ましい実施形態の次の詳細な説明から当業者に明らかとなろう。
【図面の簡単な説明】
【００３０】
【図１】端面発光エッチングファセットレーザの斜視図である。
【図２】図１と同様の２つの隣接した端面発光エッチングファセットレーザの上平面図である。
【図３（ａ）】隣接レーザ間の分離が比較的小さい、エッチングファセットファブリペロー端面発光エッチングファセットレーザの光対電流およびスペクトル特性を示す。
【図３（ｂ）】隣接レーザ間の分離が比較的小さい、エッチングファセットファブリペロー端面発光エッチングファセットレーザの光対電流およびスペクトル特性を示す。
【図４（ａ）】隣接レーザ間の分離が比較的大きい、エッチングファセットファブリペローレーザの光対電流およびスペクトル特性を示す。
【図４（ｂ）】隣接レーザ間の分離が比較的大きい、エッチングファセットファブリペローレーザの光対電流およびスペクトル特性を示す。
【図５】本発明による端面発光エッチングファセットレーザの斜視図である。
【図６】図５と同様の本発明による２つの隣接した端面発光エッチングファセットレーザの上平面図である。
【図７】本発明による隣接した端面発光二重共振器エッチングファセットＤＦＢレーザの上平面図である。
【図８】レーザチップがレーザの各行において相互からオフセットされた、２つの隣接した端面発光エッチングファセットレーザの上平面図である。
【発明を実施するための形態】
【００３１】
図１は、リッジ４０を含むエッチングファセットレーザが製作される、活性領域８０を含むエピタキシャルで堆積された導波路構造を有する、基板９０の斜視図を示す。エッチングファセットリッジレーザメサ１０および２０は、メサ１０に対応するレーザの前面ファセット５０が、メサ２０に対応するレーザの後面ファセットから距離７０を置かれるように、基板上に位置付けられる。
【００３２】
図２は、図１にあるものと同様の２つの隣接したエッチングファセットリッジレーザの上平面図を示す。ワイヤボンドパッド３０は、パッドへのワイヤ・ボンディングを可能にし、また電流がリッジに導かれてレーザが動作することを可能にするために、提供される。レーザメサ１０および２０は、それぞれ、チップ１５および２５上に位置付けられる。チップ１５および２５は、図２におけるチップの境界を画定する線に沿った、シンギュレーションプロセスを通じて形成される。
【００３３】
基板９０は、例えば、ＩＩＩ−Ｖ型化合物、またはその合金で形成されてもよく、それは好適にドープされてもよい。ＩｎＰ等の基板は、金属有機化学蒸着法（ＭＯＣＶＤ）または分子線エピタキシー法（ＭＢＥ）等のエピタキシャル堆積によるように、活性領域８０を含む光導波路を形成する連続した層が上に堆積される、上面を含む。半導体レーザ構造は、ＩｎＡＩＧａＡｓ系量子井戸および障壁と共に形成され得る、活性領域８０に隣接した、ＩｎＰ等の、活性領域８０よりも低い指数の半導体材料から形成される上部および下部クラッド領域を含有してもよい。下部クラッドは、部分的にエピタキシャル堆積を通じて、および一部には基板を使用することによって、形成されてもよい。例えば、ＩｎＰ基板９０上に次の層を有する、１３１０ｎｍ発光エピタキシャル構造を使用することができる：  ０．５μｍ  ｎ−ＩｎＰ；０．１０５μｍ  ＡｌＧａＩｎＡｓ下級領域；５つの６ｎｍ厚の圧縮歪ＡｌＧａＩｎＡｓ量子井戸を含有し、各々が１０ｎｍの引張歪ＡｌＧａＩｎＡｓ障壁によって挟まれている、活性領域８０；０．１０５μｍ  ＡｌＧａＩｎＡｓ上級領域；１．６５μｍ厚のｐ−ＩｎＰ上部クラッド；および高濃度ｐ−ドープ  ＩｎＧａＡｓキャップ層。構造はまた、湿式エッチストップ層を有してもよい。
【００３４】
エッチングファセットレーザの主要な利益のうちの１つは、劈開ファセットレーザについて、試験が、バーレベルの試験とは対照的に、ウェハレベルで行われることである。しかしながら、ウェハ上の試験の十分な利益を可能にするために、距離７０は、後面ファセット６０から前面ファセット５０への後面反射および干渉を防止するのに十分に大きくなければならない。前面ファセット５０は、光のほとんどがメサ１０に対応する端面発光レーザから現れる場所である。例えば、距離７０が、約２μｍのリッジ幅のＩｎＰ系１３１０ｎｍファブリペロー（ＦＰ）リッジレーザについて５０μｍである場合、後面反射に起因する望ましくない特性が図３において観察され、ここで図３（ａ）は、レーザ光対電流（またはＬＩ）特性が５０ｍＡ前後で変化し始めることを示し、対応する問題が、図３（ｂ）において、５０ｍＡよりも上で現れ、つまり、レーザのスペクトル特性は、５０ｍＡを上回る電流で、ＦＰモードの異常な二重分布を有する。各スペクトルは、図３（ｂ）において、明確さのためにオフセットされる。
【００３５】
２μｍリッジ幅の１３１０ｎｍ  ＦＰレーザについて、距離７０を１００μｍ以上まで増加させることによって、後面反射および干渉からの影響が最小限にされ、悪影響は、図４（ａ）のＬＩ特性、および図４（ｂ）のスペクトルにおいてもはや見られなくなる（ここで各スペクトルは、明確さのためにオフセットされる）。図４（ｂ）におけるスペクトル結果は、ＦＰモードの正規分布を示す。距離７０はまた、格子がエピタキシャル構造中に組み込まれる、分布帰還（ＤＦＢ）レーザのウェハ上の試験においても非常に重要である。距離７０が小さすぎる場合、後面反射は、ＤＦＢレーザの特性における変化を引き起こし得、結果として、シンギュレーション後に得られるレーザ特性が異なる場合があり、ウェハ上の試験の値を大幅に低減する。１００μｍ以上の距離７０を選択することによって、後面反射の望ましくない影響は、１３１０ｎｍ  ＤＦＢレーザについて排除されている。しかしながら、距離７０を１００μｍ以上まで増加させることは、ウェハから得ることができるチップの数を大幅に低減する、無駄な空間である。
【００３６】
図５は、リッジ１４０を含むエッチングファセットレーザが製作される、活性領域１８０を含む、上述のものと同様の、エピタキシャルで堆積された構造を有する、基板１９０の斜視図を示す。エッチングファセットレーザは、２つの隣合わせたレーザメサの前面および後面ファセットの平面が相互に対面する（かつ対応して、２つの隣合わせたレーザメサの後面および前面ファセットの平面が相互に対面する）ように、基板上に、前面から後面および後面から前面の交互の様式で配設される。この配設において、レーザメサ１１０のエッチングリッジ１４０は、隣合わせたレーザメサ１２０中に形成される陥凹１５７と整列される。エッチングファセットリッジレーザメサ１１０および１２０は、メサ１１０に対応するレーザの前面ファセット１５０が、陥凹領域１５７の壁１５５から距離１７０を置かれるように、基板上に位置付けられる。壁１５５は、前面ファセット１５０への後面反射を最小限にするために、入射レーザビームに対して直角以外の角度にあり得る。陥凹領域は、壁１５５が高さ５μｍ前後であり、陥凹領域の床面が活性領域の平面より下で約２．９μｍであるように、５μｍ前後の深さである。壁１５５が直角以外の角度にある場合の実例において、距離１７０は、ウェハ上の試験に有害であるレベルの後面反射および干渉を回避しながら、１００μｍから減らすことができる。
【００３７】
図６は、図５と同様の２つの隣接した端面発光エッチングファセットレーザの上平面図を例示する。実際には、図６の２つの隣接した端面発光レーザは、ユニット建築ブロックとして使用され、行および列でウェハ上に配置される。メサ１２０に対応するレーザの後面ファセット１６０は、高反射率コーティングされ、したがって、後面反射の影響は、過度に大きくはない。それにもかかわらず、後面反射を最小限にするために陥凹領域１６７が提供される。陥凹領域１６７の壁１６５もまた、後面ファセット１６０への後面反射を最小限にするために、入射レーザビームに対して直角以外の角度にあり得る。レーザメサ１１０および１２０は、それぞれ、チップ１１５および１２５上に位置付けられる。チップ１１５および１２５は、図６におけるチップの境界を画定する線に沿った、シンギュレーションプロセスを通じて形成される。ワイヤボンドパッド１３０を含むチップ１１５。レーザメサ１１０と１２０との間の分離１７５は、シンギュレーションが生じることを可能にするのにちょうど十分な大きさである（１０μｍ前後）。分離１７５の最小化は、同じサイズのウェハから、大幅により多数のレーザのチップが生産されることを可能にした。更に、陥凹領域１５７または１６７は、乾式エッチングファセットおよび乾式エッチングリッジが形成されるのと同時に形成され得る。
【００３８】
図７は、１チップ当たり２つのレーザ共振器の実例に対する本発明の適用を示す。レーザメサ２１０および２２０は、それぞれ、チップ２１５および２２５上に位置付けられる。チップ２１５および２２５は、図７におけるチップの境界を画定する線に沿った、シンギュレーションプロセスを通じて形成される。チップ２１５は、電流をリッジ２４０および２４１に提供している、それぞれワイヤボンドパッド２３０および２３１を有する、２つのレーザリッジ共振器２４０および２４１を含む。リッジレーザ２４０は、前面ファセット２５０を有し、リッジレーザ２４１は、前面ファセット２５１を有する。隣接したメサは、ファセット２５０および２５１の前面において陥凹領域２５７を有する。陥凹領域は、それぞれファセット２５０および２５１から現れる各レーザビームに対して直角から外れた角度にあり得る、２つの壁２５５および２５６の終端を有する。前面ファセット２５０と壁２５５と間の距離２７０は、好ましくは１００μｍ超であるが、壁が、ファセット２５０から現れるレーザビームの直角に対する角度にある場合には、より短い可能性があり得る。同様に、前面ファセット２５１と壁２５６と間の距離２７１は、好ましくは１００μｍ超であるが、壁が、ファセット２５１から現れるレーザビームの直角に対する角度にある場合には、より短い可能性があり得る。これは、レーザメサ２１０および２２０が、所与のウェハから生産され得るチップの数を増加させるのに最小の分離２７５を有することを可能にする。メサ２２０における２つのレーザの後面ファセット２６０および２６１はまた、後面反射を最小限にするために、メサ２１０における陥凹領域２６７に対面し得る。
【００３９】
本発明による別の代替手段が図８に例示され、ここでエッチングファセットの端面発光レーザメサ３１０、３２０、３２１、および３２２は、それぞれ、チップ３１５、３２５、３２６、および３２７上に位置付けられ、レーザは、メサ３１０に対応するレーザについて例示されるように、リッジ３４０および電流をリッジに提供するためのワイヤボンドパッド３３０を有する。陥凹領域３５７は、エッチングファセットレーザチップ３２０の片側上に、チップの全長に延在して完全に形成されて、完全な開口部を形成している。このようにして、陥凹領域３５７は、メサ３２１に対応するレーザの後面ファセット３５５まで延在する。後面ファセット３５５は、通常、前面ファセット３５０から現れる、発光されるレーザ光に対して直角である。距離３７０は、前面ファセット３５０と後面ファセット３５５との間の距離である。レーザメサ３１０および３２０は、図６および７にあるものと同様に、上部から底部方向に最小の分離３７５を有するが、レーザメサ３２１および３２２もまた、左から右方向で最小の分離３７６を有する。これは、所与のウェハから生産され得るチップの数の増加を更に可能にする。チップの側面は、左から右かつ上部から底部で揃えられる図６および７におけるチップとは対照的に、左から右で揃えられるのみである。シンギュレーションは、この事実に応じる必要があり、例えば、シンギュレーションは、最初に左から右方向で生じる必要があり、次いでチップは、上部から底部のシンギュレーションによって分離される。図８および上の説明は、１チップ当たり単一のレーザ共振器の観点からのものであり、同じアプローチが１チップ当たり２つ以上のレーザ共振器に適用可能であることが理解されよう。
【００４０】
本発明は、ＩｎＰ基板に基づいている１３１０ｎｍ発光レーザを使用して記載される。しかしながら、例えば、ＩｎＰ、ＧａＡｓ、およびＧａＮ基板に基づく幾つかの他の異なるエピタキシャル構造が、本発明から利益を得ることができる。例えば、赤外線および可視スペクトル領域における波長を発光する、これらの例となる基板上に活性層を含むエピタキシャル構造の多数の実施例が利用可能である。更に、エッチングリッジを有する端面発光リッジレーザが記載されたが、エッチングファセット埋め込みヘテロ構造（ＢＨ）レーザ等の、他の型のエッチングファセットレーザが使用され得ることが理解されよう。
【００４１】
本発明は、種々の実施形態の観点から例示されたが、種々の変形および修正が、次の特許請求の範囲に提示される本発明の真の趣旨および範囲から逸脱することなく行われてもよいことが理解されよう。更に、図に示される寸法および比率は、必ずしも縮尺通りではないが、構造および方法の顕著な特長を明確に例示するため使用されることが理解されよう。
【００４２】
以下に本発明の実施態様を記載する。
（実施態様１）レーザチップであって、
基板と、
前記基板上のエピタキシャル構造であって、前記エピタキシャル構造は、活性領域を含み、前記活性領域は、光を発生する、エピタキシャル構造と、
第１の方向に延在する前記エピタキシャル構造中に形成される導波路であって、端面発光レーザを画定する前面エッチングファセットおよび後面エッチングファセットを有する、導波路と、
前記エピタキシャル構造中に形成される第１の陥凹領域であって、前記導波路からある距離を置いて配設され、前記後面エッチングファセットに隣接した開口部を有し、前記レーザチップのシンギュレーション前に、隣接レーザチップの試験を容易にする、第１の陥凹領域と、を備える、レーザチップ。
（実施態様２）前記第１の陥凹領域は、第１の末端壁を有する、実施態様１に記載のレーザチップ。
（実施態様３）前記第１の末端壁は、前記第１の方向に対して直角以外の角度にある、実施態様２に記載のレーザチップ。
（実施態様４）前記後面エッチングファセットは、高反射性材料でコーティングされる、実施態様３に記載のレーザチップ。
（実施態様５）前記エピタキシャル構造中に形成され、前記導波路から第２の距離を置いて配設されて、前記前面エッチングファセットに隣接した開口部を有する、第２の陥凹領域を更に備え、前記第２の陥凹領域は、第２の末端壁を含む、実施態様１に記載のレーザチップ。
（実施態様６）前記第２の末端壁は、前記第１の方向に対して直角以外の角度にある、実施態様５に記載のレーザチップ。
（実施態様７）前記第１の陥凹領域への前記開口部および前記第２の陥凹領域への前記開口部は、相互に整列される、実施態様６に記載のレーザチップ。
（実施態様８）前記端面発光レーザは、リッジレーザである、実施態様１に記載のレーザチップ。
（実施態様９）前記リッジレーザは、ファブリペロー（ＦＰ）型のものである、実施態様８に記載のレーザチップ。
（実施態様１０）前記リッジレーザは、分布帰還（ＤＦＢ）型のものである、実施態様８に記載のレーザチップ。
（実施態様１１）前記端面発光レーザは、埋め込みヘテロ構造（ＢＨ）レーザである、実施態様１に記載のレーザチップ。
（実施態様１２）前記ＢＨレーザは、ファブリペロー（ＦＰ）型のものである、実施態様１１に記載のレーザチップ。
（実施態様１３）前記ＢＨレーザは、分布帰還（ＤＦＢ）型のものである、実施態様１１に記載のレーザチップ。
（実施態様１４）前記基板は、ＩｎＰである、実施態様１に記載のレーザチップ。
（実施態様１５）前記基板は、ＧａＡｓである、実施態様１に記載のレーザチップ。
（実施態様１６）前記基板は、ＧａＮである、実施態様１に記載のレーザチップ。
（実施態様１７）レーザチップであって、
基板と、
前記基板上のエピタキシャル構造であって、前記エピタキシャル構造は、活性領域を含み、前記活性領域は、光を発生する、エピタキシャル構造と、
第１の方向に延在する前記エピタキシャル構造中に形成される第１の導波路であって、第１の端面発光レーザを画定する第１の前面エッチングファセットおよび第１の後面エッチングファセットを有する、第１の導波路と、
第１の方向に延在する前記エピタキシャル構造中に形成される第２の導波路であって、第２の端面発光レーザを画定する第２の前面エッチングファセットおよび第２の後面エッチングファセットを有する、第２の導波路と、
前記エピタキシャル構造中に形成される陥凹領域であって、前記第１の後面エッチングファセットおよび前記第２の後面エッチングファセットのうちの１つに隣接した開口部を有し、前記レーザチップのシンギュレーション前に、隣接レーザチップの試験を容易にする。陥凹領域と、を備える、レーザチップ。
（実施態様１８）前記第１および第２の端面発光レーザのうちの少なくとも１つは、リッジ分布帰還（ＤＦＢ）レーザである、実施態様１７に記載のチップ。
（実施態様１９）前記第１および第２の端面発光レーザのうちの少なくとも１つは、埋め込みヘテロ構造（ＢＨ）分布帰還（ＤＦＢ）レーザである、実施態様１７に記載のチップ。
（実施態様２０）レーザチップであって、
基板と、
前記基板上のエピタキシャル構造であって、前記エピタキシャル構造は、活性領域を含み、前記活性領域は、光を発生する、エピタキシャル構造と、
第１の方向に延在する前記エピタキシャル構造中に形成される導波路であって、端面発光レーザを画定する前面エッチングファセットおよび後面エッチングファセットを有する、導波路と、
前記導波路に平行な方向にあり、かつそれからある距離を置いた、前記エピタキシャル構造中の完全な開口部であって、前記レーザチップのシンギュレーション前に、隣接レーザチップの試験を容易にする、完全な開口部と、を備える、レーザチップ。
【図１】
0006258414.tif 000002
【図２】
0006258414.tif 000003
【図３（ａ）】
0006258414.tif 000004
【図３（ｂ）】
0006258414.tif 000005
【図４（ａ）】
0006258414.tif 000006
【図４（ｂ）】
0006258414.tif 000007
【図５】
0006258414.tif 000008
【図６】
0006258414.tif 000009
【図７】
0006258414.tif 000010
【図８】
0006258414.tif 000011